【手続補正書】
【提出日】平成24年8月30日(2012.8.30)
【手続補正１】
【補正対象書類名】明細書
【補正対象項目名】００２０
【補正方法】変更
【補正の内容】
【００２０】
【図１】本発明の例示実施形態に係る両頭センタリングヒンジの分解組立図。
【図２】本発明の例示実施形態に係る、両端のカム駆動センタリング構成部品を透過して示す組み立てられた二重作用ヒンジを示す図。
【図３】本発明の例示実施形態に係る二重作用セルフセンタリングヒンジ組立体の側面切断図。
【図４】本発明の例示実施形態に係る、二重作用センタリングヒンジのいずれかの端部を固定する、バネ力が付与されたネジ付き固定ピンを示す側面図。
【図５】センタリングヒンジに対して選択された角度位置に向かってバイアスをかける弾性手段を使用する本発明の別の例示実施形態の上面図。
【図６】弾性手段をさらに延長する角度位置に向けられたヒンジを示す図５の実施形態の上面図。
【図７】図６のようにヒンジが直線的に展開する際の力を及ぼす三角形の図。
【図８】本発明の例示実施形態に係る、図５のようにヒンジが一側面に展開する際の力を及ぼす三角形の図。
【図９】本発明の例示実施形態に係る、本発明のヒンジと共に使用可能な例示的支持アームを示す図。
【図１０】本発明の例示実施形態に係る、互いに異なる２つの弾性手段の取付形状を例示する２つのアームセグメントを相互接続するヒンジの側面図。
【図１１】本発明の例示実施形態に係る、「中心を重ねた」弾性手段の取付形状の詳細を示す図１０のヒンジ組立体の下側の図。
【図１２】バネ終端調整ディスクと選択されたバネ位置とを示す上面図。
【図１３】本発明の例示実施形態に係る、平行四辺形アームセグメントの回転に伴うバネの偏向を例示する。
【図１４】本発明の例示実施形態に係る、平行四辺形アームセグメントが図１３と比較して反対側の回転の極度にある時のバネの偏向を例示する図。
【図１５】本発明の例示実施形態に係る、個々に望ましいバイアスをエンドブロックからヒンジに発生する、互いに異なる２つの選択されかつ調整されたヒンジ側バネの取付オフセットの作用を例示する図。
【図１６】本発明の例示実施形態に係る、「右向き」構成または「左向き」構成に方向付けることのできるバイアスをエンドブロックからヒンジに発生するために、ヒンジ側オフセット軸線を中心上オフセット軸線と結合する作用を例示する図。
【図１７】本発明の例示実施形態に係る中心アームヒンジの反転底面図。
【図１８】本発明の例示実施形態に係るヒンジの右側を上にした側面図である。
【図１９】本発明の例示実施形態に係るターミナルアームヒンジの上下反対にした等角底面図。
【図２０】本発明の例示実施形態に係る支持アームを示す図。
【図２１】本発明の例示実施形態に係るヒンジを示す図。
【図２２】本発明のさらなる例示実施形態に係るヒンジを示す図。
【図２３Ａ】本発明の例示実施形態に係る、張力部材経路を含む支持アームを示す図。
【図２３Ｂ】本発明の例示実施形態に係る、張力部材経路を含む支持アームを示す図。
【図２３Ｃ】本発明の例示実施形態に係る、張力部材経路を含む支持アームを示す図。
【図２３Ｄ】本発明の例示実施形態に係る、張力部材経路を含む支持アームを示す図。
【図２３Ｅ】本発明の例示実施形態に係る、張力部材経路を含む支持アームを示す図。
【図２３Ｆ】本発明の例示実施形態に係る、張力部材経路を含む支持アームを示す図。
【図２４】本発明のまた別の例示実施形態に係るヒンジを示す図。
【図２５】本発明の例示実施形態に係る、リミットストップを有するヒンジを示す図。
【図２６】本発明の例示実施形態に係る、摩擦クラッチ組立体を有するヒンジの側面図。
【図２７】本発明の例示実施形態に係る、図２６の図と反対側の摩擦クラッチ組立体を有するヒンジの側面図。
【図２８】本発明の例示実施形態に係る、摩擦クラッチ組立体を有するヒンジの上面図。
【図２９】本発明の例示実施形態に係る、摩擦クラッチ組立体を有するヒンジの底面図。
【図３０】本発明の例示実施形態に係る摩擦クラッチ組立体およびバレル組立体を示す図。
【図３１】本発明の例示実施形態に係る摩擦クラッチ組立体およびバレル組立体の断面図。
【図３２】本発明の例示実施形態に係る摩擦クラッチ組立体のバネおよび摩擦クラッチバンド保持器を示す図。
【図３３】本発明の例示実施形態に係る摩擦クラッチ組立体及びバレル組立体を示す図。
【手続補正２】
【補正対象書類名】明細書
【補正対象項目名】００６１
【補正方法】変更
【補正の内容】
【００６１】
図２４は、本発明の例示実施形態に係るヒンジを示す。ヒンジ本体８０２は、ピボット８０６においてエンドブロック８０４に枢動するように取り付けられている。ヒンジ本体８０２は、ピボット８１０においてエンドブロック８０８に枢動するように取り付けられている。エンドブロック８０４および８０８は、支持アームのセグメントに取り付けられてもよい。ねじりバネ８１２は、ピボット８０６の周りに配置され、エンドブロック８０４に接触する第１の端部と軸体８１８に接触する第２の端部とを有し、それにより、ピボット８０６に取り付けられた構成部品にバイアスをかけて望ましい移動範囲内で回転する。特定の範囲は、少なくとも部分的には、ねじりバネ８１２の位置決めとそのバネ定数（ねじり定数）とに依存する。
【手続補正３】
【補正対象書類名】特許請求の範囲
【補正対象項目名】全文
【補正方法】変更
【補正の内容】
【特許請求の範囲】
【請求項１】
支持アームであって、
近位平行四辺形支持アームセグメントと、
遠位平行四辺形支持アームセグメントと、
近位ピボットで前記近位支持アームセグメントに枢動するように接続された近位端と遠位ピボットで前記遠位支持アームセグメントに枢動するように接続された遠位端とを有するヒンジシステムと、
第１の端部と第２の端部とを有する張力部材であって、前記張力部材の第１の端部が前記近位支持アームセグメントまたは前記遠位支持アームセグメントの上またはそれを越えた位置にある終端箇所まで延びかつそこに固定され、前記張力部材の第２の端部が前記近位支持アームセグメントまたは前記遠位支持アームセグメントの上またはそれを越えた位置にある終端箇所まで延びると共にそこに固定され、前記張力部材が、それにより、前記ヒンジシステムに向かって前記近位支持アームセグメントおよび前記遠位支持アームセグメントのうちの一方または両方にバイアスをかける張力部材と、
前記近位ピボットおよび前記遠位ピボットに実質上平行であると共にこれらの間の領域に配置された軸体と、
を備え、
前記張力部材が、少なくとも部分的に前記軸体の周りに配置される、
支持アーム。
【請求項２】
前記張力部材の第１の端部が、前記近位支持アームセグメント内部に延びると共に前記近位支持アームセグメント上またはそこを越えた位置にある終端箇所に固定され、前記張力部材の第２の端部が、前記遠位支持アームセグメント内部に延びると共に前記遠位支持アームセグメント上またはそれを越えた位置にある終端箇所に固定される、請求項１に記載の支持アーム。
【請求項３】
前記張力部材の第１の端部が前記近位支持アームセグメント上の終端箇所に固定され、前記張力部材の第２の端部が前記遠位支持アームセグメント上の終端箇所に固定される、請求項２に記載の支持アーム。
【請求項４】
前記張力部材の第１の端部および前記張力部材の第２の端部が、前記近位支持アームセグメントおよび前記遠位支持アームセグメントから選択された同じ支持アームセグメント上またはそれを越えた位置にある終端箇所に固定される、請求項１に記載の支持アーム。
【請求項５】
前記張力部材の第１の端部が肩ヒンジ上の終端箇所に固定され、前記肩ヒンジが、前記近位ピボットの反対側の端部で前記近位支持アームセグメントに枢動するように取り付けられる、請求項１に記載の支持アーム。
【請求項６】
前記張力部材の第１の端部および前記張力部材の第２の端部が肩ヒンジ上の終端箇所に固定され、前記肩ヒンジが、前記近位ピボットの反対側の端部で前記近位支持アームセグメントに枢動するように取り付けられる、請求項１に記載の支持アーム。
【請求項７】
前記張力部材の第２の端部が基部接続構成部品上の終端箇所に固定され、前記基部接続構成部品が、前記遠位ピボットの反対側の端部で前記遠位支持アームセグメントに枢動するように取り付けられる、請求項１に記載の支持アーム。
【請求項８】
前記張力部材の第１の端部および前記張力部材の第２の端部が基部接続構成部品上の終端箇所に固定され、前記基部接続構成部品が、前記遠位ピボットの反対側の端部で前記遠位支持アームセグメントに枢動するように取り付けられる、請求項１に記載の支持アーム。
【請求項９】
前記張力部材が弾性である、請求項１に記載の支持アーム。
【請求項１０】
前記張力部材が非弾性である、請求項１に記載の支持アーム。
【請求項１１】
前記軸体が回転可能である、請求項１に記載の支持アーム。
【請求項１２】
２つの張力部材を備え、これらの両方が、実質上同じ終端箇所まで延びると共に実質上同一の経路をたどる、請求項１に記載の支持アーム。
【請求項１３】
２つの張力部材を備え、前記２つの張力部材が互いに異なる長さである、請求項１に記載の支持アーム。
【請求項１４】
２つの張力部材を備え、前記２つの張力部材が互いに異なる弾性の程度を有する、請求項１に記載の支持アーム。
【請求項１５】
第１の端部と第２の端部とを有する第２の張力部材を備え、前記第１の張力部材の前記第１の端部が、前記第２の張力部材の前記第１の端部とは異なる終端箇所に固定される、請求項１に記載の支持アーム。
【請求項１６】
前記第１の張力部材の第２の端部が、前記第２の張力部材の第２の端部とは異なる終端箇所に固定される、請求項１５に記載の支持アーム。
【請求項１７】
第１の端部と第２の端部とを有する第２の張力部材を備え、前記第１の張力部材の前記第１の端部が、前記支持アームの構成部品であって、前記第２の張力部材の第１の端部とは異なる構成部品上の終端箇所に固定され、前記構成部品が前記近位支持アームセグメントと、遠位支持アームセグメントと、基部接続構成部品と、肩ヒンジと、基部とを含む、請求項１に記載の支持アーム。
【請求項１８】
第１の端部と第２の端部とを有する第２の張力部材を備え、前記第１の張力部材の前記第２の端部が、前記支持アームの構成部品であって、前記第２の張力部材の前記第２の端部とは異なる構成部品上の終端箇所に固定され、前記構成部品が前記近位支持アームセグメント、遠位支持アームセグメント、基部接続構成部品、肩ヒンジおよび基部を含む、請求項１７に記載の支持アーム。
【請求項１９】
２つの張力部材を備え、前記張力部材が互いに異なる経路をたどる、請求項１に記載の支持アーム。
【請求項２０】
前記張力部材が前記支持アームの対向する側に互いに分散される、請求項１９に記載の支持アーム。
【請求項２１】
或る経路を有する単一の張力部材であって、この経路の一部が前記支持アームの一方の側にあり、この経路の一部が前記支持アームの反対側にある、単一の張力部材を備える、請求項１に記載の支持アーム。
【請求項２２】
前記張力部材の経路がアームセグメントの長手方向中心線に対して平行でない、請求項１に記載の支持アーム。
【請求項２３】
さらに、１または複数の回転リミットストップを備える、請求項１に記載の支持アーム。
【請求項２４】
物体を支持する方法であって、
前記物体を請求項１に記載の支持アームに取り付ける段階と、
ヒンジシステムを調整して、選択された位置または複数の位置の範囲に向かって前記支持アームにバイアスをかける段階と、
を含む方法。
【請求項２５】
支持アームであって、
近位支持アームセグメントと、
遠位支持アームセグメントと、
近位ピボットで前記近位支持アームセグメントに枢動するように接続された近位端と遠位端で前記遠位支持アームセグメントに枢動するように接続された遠位端とを有するヒンジシステムと、
前記ヒンジシステムに対して、前記近位支持アームセグメント、前記遠位支持アームセグメントまたはこれらの両方の角度移動範囲を制限するために、前記ヒンジシステムに固定された少なくとも１つの回転リミットストップと、
を備える支持アーム。
【請求項２６】
前記回転リミットストップが調整可能である、請求項２５に記載の支持アーム。
【請求項２７】
前記回転リミットストップが、
第１のストップ構成部品と、
前記第１のストップ構成部品に対して摺動可能な第２のストップ構成部品と、
を備え、
前記第２のストップ構成部品が前記近位支持アームセグメントおよび前記遠位支持アームセグメントのいずれか一方の上の接点に向かうようにかつ接点から離れるように摺動可能なように、前記第１のストップ構成部品が前記ヒンジシステムに固定され、前記第２のストップ構成部品が前記接点に遭遇すると、前記ヒンジシステムに対する前記アームセグメントの前記角度移動が最大となり、
前記回転リミットストップがさらに、前記第２のストップ構成部品を前記第１のストップ構成部品に対して複数の位置に固定する調整機構を備える、
請求項２６に記載の支持アーム。
【請求項２８】
前記第１のストップ構成部品が中空であり、前記第２のストップ構成部品が前記第１のストップ構成部品内で摺動可能である、請求項２７に記載の支持アーム。
【請求項２９】
物体を支持する方法であって、
請求項２５に記載の支持アームに前記物体を取り付ける段階と、
前記回転リミットストップを調整して、前記ヒンジシステムに対して、前記近位支持アームセグメント、前記遠位支持アームセグメントまたはこれらの両方の角度移動範囲を制限する段階と、
を備える方法。
【請求項３０】
支持アームであって、
近位支持アームセグメントと、
遠位支持アームセグメントと、
近位ピボットで前記近位支持アームセグメントに枢動するように接続された近位端と、遠位ピボットで前記遠位支持アームセグメントに枢動するように接続された遠位端と、前記近位ピボットと前記遠位ピボットとに対して実質上平行であると共にこれらの間の領域に配置された軸体とを備えるヒンジ本体を有するヒンジシステムと、
位置決めされた前記近位ピボットの周りに配置された近位ねじりバネであって、前記近位ねじりバネの第１の端部が前記軸体と接触し、前記近位ねじりバネの第２の端部が前記近位支持セグメントと接触し、それにより、前記ヒンジ本体に対する前記近位支持アームセグメントの移動範囲にバイアスをかける近位ねじりバネと、
を備える支持アーム。
【請求項３１】
さらに、位置決めされた前記遠位ピボットの周りに配置された遠位ねじりバネであって、前記遠位ねじりバネの第１の端部が前記軸と接触し、前記遠位ねじりバネの第２の端部が前記遠位支持セグメントと接触し、それにより、前記ヒンジ本体に対する前記遠位支持アームセグメントの移動範囲にバイアスをかける遠位ねじりバネを備える、請求項３０に記載の支持アーム。
【請求項３２】
前記移動範囲が約０°〜約２００°の範囲内である、請求項２５又は３０に記載の支持アーム。
【請求項３３】
物体を支持する方法であって、
前記物体を請求項３０に記載の支持アームに取り付ける段階と、
前記ヒンジ本体に対する前記近位支持アームセグメントおよび前記遠位支持アームセグメントの移動範囲にバイアスをかける段階と、
を含む方法。
【請求項３４】
支持アームであって、
近位支持アームセグメントと、
遠位支持アームセグメントと、
近位ヒンジセグメントおよび遠位ヒンジセグメントを有するヒンジ組立体であって、前記近位ヒンジセグメントが、摩擦クラッチピボットで前記遠位ヒンジセグメントに枢動するように接続され、前記摩擦クラッチピボットが摩擦クラッチ組立体の一部であるヒンジ組立体と、
を備え、
前記近位ヒンジセグメントが、前記摩擦クラッチピボットの反対側の前記近位ヒンジセグメントの端部に位置する近位ピボットで前記近位支持アームセグメントに堅固に接続され、
前記遠位ヒンジセグメントが、前記摩擦クラッチピボットの反対側の前記遠位ヒンジセグメントの端部に位置する遠位ピボットで前記遠位支持アームセグメントに堅固に接続される、
支持アーム。
【請求項３５】
前記摩擦クラッチ組立体がさらに、
ヒンジピンと、
前記ヒンジピンの少なくとも一部の周囲に配置された摩擦クラッチドラムと、
前記摩擦クラッチドラムの周りに配置されたねじりバネと、
前記ねじりバネの第１の端部を前記近位ヒンジセグメントに固定し、前記ねじりバネの第２の端部を前記遠位ヒンジセグメントに固定し、それにより、前記近位ヒンジセグメントおよび遠位ヒンジセグメントに回転力を提供する保持器と、
前記摩擦クラッチドラムの周りに配置されると共に力を前記摩擦クラッチドラムに印加することができる摩擦クラッチバンドと、
前記摩擦クラッチ組立体に機能的に組み込まれて、前記摩擦ドラム上の前記摩擦クラッチバンドの力を調整する摩擦クラッチ調整装置と、
を備える、
請求項３４に記載の支持アーム。
【請求項３６】
前記摩擦クラッチ調整装置が力構成部品を備え、前記力構成部品が、その移動の際に前記摩擦ドラム上の前記摩擦クラッチバンドの力を変更させるように、前記摩擦ドラムの方向に前記摩擦クラッチバンドの力を及ぼすように構成される、請求項３５に記載の支持アーム。
【請求項３７】
前記力構成部品が、前記ヒンジ組立体の内または外でネジの移動の際に前記摩擦ドラム上の前記摩擦クラッチバンドの力を変更させるように、前記ヒンジ組立体のネジ穴の内部に配置されたネジである、請求項３６に記載の支持アーム。
【請求項３８】
少なくとも１つの接続部が、前記近位支持アームセグメントと前記遠位支持アームセグメントとの間の接続部を含み、前記遠位支持アームセグメントと前記遠位ヒンジセグメントとの接続部がバレル組立体であり、
このバレル組立体が、
互いに長手方向に配置された第１の設置バレルおよび第２の設置バレルと、
互いに長手方向に配置されると共に前記第１の設置バレルおよび前記第２の設置バレルの内部に長手方向に配置された第１の固定ネジおよび第２の固定ネジであって、前記固定ネジが互いに向かうようにまたは互いから離れるように長手方向に駆動し、それにより、前記設置バレルを圧縮または分離する第１の固定ネジおよび第２の固定ネジと、
を備え、
前記第１の設置バレルおよび第２の設置バレルの少なくとも１つが、前記設置バレルの開口端に配置された延長ネジを有し、
前記第１の設置バレルおよび第２の設置バレルを互いに向かって圧縮すると、前記設置バレル組立体が、前記ヒンジ組立体および前記支持アームセグメントから摺動可能に取り外され、それにより、前記ヒンジアーム組立体を前記支持アームセグメントから分離する、
請求項３４に記載の支持アーム。
【請求項３９】
前記設置バレルのそれぞれが、その開口端に配置された延長ネジを有する、請求項３７に記載の支持アーム。
【請求項４０】
前記摩擦クラッチ調整装置が、ヒンジ区域が自由に移動可能な位置から実質上移動不可能になる位置までの範囲において、前記摩擦クラッチピボット回りに近位ヒンジ区域と遠位ヒンジ区域とを回転させるのに必要とされる力を調整することができる、請求項３５に記載の支持アーム。
【請求項４１】
前記ヒンジ組立体が右から左に反転されるように構成された、請求項３８に記載の支持アーム。
【請求項４２】
物体を支持する方法であって、
請求項３４に記載の支持アームに前記物体を取り付ける段階と、
前記摩擦クラッチ組立体を調整して選択された位置または複数の位置の範囲に向かって前記支持アームにバイアスをかける段階と、
を含む方法。
【請求項４３】
第１および第２の構成部品を結合するための設置バレル組立体であって、
設置バレル組立体が、
互いに長手方向に配置された第１の設置バレルおよび第２の設置バレルと、
互いに長手方向に配置されると共に前記第１の設置バレルおよび前記第２の設置バレルの内部に長手方向に配置された第１の固定ネジおよび第２の固定ネジであって、前記固定ネジが長手方向に互いに近付く方向または離れる方向に駆動して前記設置バレルを圧縮または分離できる第１の固定ネジおよび第２の固定ネジと、
を備え、
前記第１および第２の設置バレルのうちの少なくとも１つが、前記設置バレルの開口端に配置された延長バネを有し、
前記第１および第２の設置バレルを互いに向かって圧縮すると、前記設置バレル組立体が、前記第１および第２の構成部品から摺動可能に取り外されることができ、それにより、構成部品同士を分離する、
設置バレル組立体。
【請求項４４】
前記設置バレルのそれぞれが、その開口端に配置された延長バネを有する、請求項４３に記載の設置バレル組立体。
【手続補正４】
【補正対象書類名】図面
【補正対象項目名】図２１
【補正方法】変更
【補正の内容】
【図２１】
2012504218.tif 000001
【手続補正５】
【補正対象書類名】図面
【補正対象項目名】図２４
【補正方法】変更
【補正の内容】
【図２４】
2012504218.tif 000002